(57)【要約】【課題】差動インピーダンス値をより安定させた回路基板を提供する。【解決手段】回路基板１Ａは、基板本体２と、基板本体上に設けられた差動ペア配線３である第１信号線１０および第２信号線２０と、を備える。第１信号線および第２信号線の一部には、互いの線長の相違を調整するミアンダ部が設けられ、ミアンダ部における差動ペア配線には、ブロード部３ａと、ブロード部よりも第１信号線と前記第２信号線との間の回路間隔Ｌ１が小さいナロー部３ｃと、ブロード部とナロー部とを接続する接続部３ｂと、が設けられている。接続部３ｂでは、ナロー部３ｃに向かうに従って回路間隔Ｌ１が漸次小さくなり、接続部３ｂにおいて、第１信号線および第２信号線の少なくとも一方の幅は、ナロー部３ｃに向かうに従って漸次小さくなっている。【選択図】図１
2019207947.tif 000002
【特許請求の範囲】
【請求項１】
基板本体と、
前記基板本体上に設けられた差動ペア配線である第１信号線および第２信号線と、を備え、
前記第１信号線および前記第２信号線の一部には、互いの線長の相違を調整するミアンダ部が設けられ、
前記ミアンダ部における前記差動ペア配線には、ブロード部と、前記ブロード部よりも前記第１信号線と前記第２信号線との間の回路間隔Ｌ１が小さいナロー部と、前記ブロード部と前記ナロー部とを接続する接続部と、が設けられ、
前記接続部では、前記ナロー部に向かうに従って前記回路間隔Ｌ１が漸次小さくなり、
前記接続部において、前記第１信号線および前記第２信号線の少なくとも一方の幅は、前記ナロー部に向かうに従って漸次小さくなっている、回路基板。
【請求項２】
前記基板本体上には、前記第１信号線および前記第２信号線を間に挟むように配置された第１ＧＮＤ線および第２ＧＮＤ線が設けられ、
平面視において、前記ミアンダ部で前記第１信号線および前記第２信号線が向かい合う方向を第１方向とし、前記第１方向に直交する方向を第２方向とするとき、
前記ミアンダ部における前記第１信号線と前記第１ＧＮＤ線との間の間隔Ｌ２は、前記第２方向に沿って実質的に一定であり、
前記ミアンダ部における前記第２信号線と前記第２ＧＮＤ線との間の間隔Ｌ３は、前記第２方向に沿って実質的に一定である、請求項１に記載の回路基板。
【請求項３】
前記基板本体上には、前記第１信号線および前記第２信号線を間に挟むように配置された第１ＧＮＤ線および第２ＧＮＤ線が設けられ、
平面視において、前記ミアンダ部で前記第１信号線および前記第２信号線が向かい合う方向を第１方向とし、前記第１方向に直交する方向を第２方向とするとき、
前記ミアンダ部における前記第１ＧＮＤ線と前記第２ＧＮＤ線との間の間隔Ｌ４が、前記第２方向に沿って実質的に一定である、請求項１に記載の回路基板。
【発明の詳細な説明】
【技術分野】
【０００１】
本発明は、回路基板に関する。
【背景技術】
【０００２】
下記特許文献１には、差動ペア配線が設けられた回路基板が開示されている。この回路基板では、信号伝送を安定させるため、差動ペア配線における回路間隔を、固定部と可動部とで変化させている。
【先行技術文献】
【特許文献】
【０００３】
【特許文献１】特開２０１１−１１３５７５号公報
【発明の概要】
【発明が解決しようとする課題】
【０００４】
ところで、この種の差動ペア配線では、２つの配線の経路の差によって生じる配線長の相違を解消するために、いわゆるミアンダ部を設ける場合がある。ミアンダ部では、２つの配線のうち一方を波形状とする。
ここで、差動ペア配線にミアンダ部を設けた場合、回路間隔が変化することによって差動インピーダンス値が局所的に変動してしまう。差動インピーダンス値が変動すると、回路基板とその他の電子機器との接続部で、信号の反射が生じるなどの不具合が生じやすくなる。
【０００５】
本発明はこのような事情を考慮してなされ、差動インピーダンス値をより安定させた回路基板を提供することを目的とする。
【課題を解決するための手段】
【０００６】
上記課題を解決するために、本発明の一態様に係る回路基板は、基板本体と、前記基板本体上に設けられた差動ペア配線である第１信号線および第２信号線と、を備え、前記第１信号線および前記第２信号線の一部には、互いの線長の相違を調整するミアンダ部が設けられ、前記ミアンダ部における前記差動ペア配線には、ブロード部と、前記ブロード部よりも前記第１信号線と前記第２信号線との間の回路間隔Ｌ１が小さいナロー部と、前記ブロード部と前記ナロー部とを接続する接続部と、が設けられ、前記接続部では、前記ナロー部に向かうに従って前記回路間隔Ｌ１が漸次小さくなり、前記接続部において、前記第１信号線および前記第２信号線の少なくとも一方の幅は、前記ナロー部に向かうに従って漸次小さくなっている。
【０００７】
上記態様では、接続部において、回路間隔Ｌ１が漸次変化することに合わせて、第１信号線および第２信号線の少なくとも一方の幅が漸次変化している。この構成によれば、回路間隔Ｌ１が変化することによる差動インピーダンス値の変動を、信号線の幅を変化させることで打ち消すことができる。したがって、差動ペア配線の一部で差動インピーダンス値が変動することを抑え、信号伝送に与える影響を低減させることができる。
【０００８】
ここで、前記基板本体上には、前記第１信号線および前記第２信号線を間に挟むように配置された第１ＧＮＤ線および第２ＧＮＤ線が設けられ、平面視において、前記ミアンダ部で前記第１信号線および前記第２信号線が向かい合う方向を第１方向とし、前記第１方向に直交する方向を第２方向とするとき、前記ミアンダ部における前記第１信号線と前記第１ＧＮＤ線との間の間隔Ｌ２は、前記第２方向に沿って実質的に一定であり、前記ミアンダ部における前記第２信号線と前記第２ＧＮＤ線との間の間隔Ｌ３は、前記第２方向に沿って実質的に一定であってもよい。
【０００９】
この場合、各信号線と各ＧＮＤ線との間隔Ｌ２、Ｌ３が実質的に一定であることで、回路基板の電気特性をより安定させることができる。
【００１０】
また、前記基板本体上には、前記第１信号線および前記第２信号線を間に挟むように配置された第１ＧＮＤ線および第２ＧＮＤ線が設けられ、平面視において、前記ミアンダ部で前記第１信号線および前記第２信号線が向かい合う方向を第１方向とし、前記第１方向に直交する方向を第２方向とするとき、前記ミアンダ部における前記第１ＧＮＤ線と前記第２ＧＮＤ線との間の間隔Ｌ４が、前記第２方向に沿って実質的に一定であってもよい。
【００１１】
この場合、ＧＮＤ線同士の間隔Ｌ４が一定であるため、回路基板における他の回路領域との干渉が生じにくく、回路設計をより容易にすることができる。
【発明の効果】
【００１２】
本発明の上記態様によれば、差動インピーダンス値をより安定させた回路基板を提供することができる。
【図面の簡単な説明】
【００１３】
【図１】第１実施形態に係る配線基板の、ミアンダ部の拡大図である。
【図２】第２実施形態に係る配線基板の、ミアンダ部の拡大図である。
【発明を実施するための形態】
【００１４】
（第１実施形態）
以下、第１実施形態の回路基板について図面に基づいて説明する。
図１に示すように、回路基板１Ａは、基板本体２と、差動ペア配線３と、第１ＧＮＤ線３０と、第２ＧＮＤ線４０と、を備えている。差動ペア配線３は、第１信号線１０および第２信号線２０によって構成されている。第１信号線１０、第２信号線２０、第１ＧＮＤ線３０、および第２ＧＮＤ線４０は、基板本体２上に形成された配線パターンである。
【００１５】
第１信号線１０および第２信号線２０は、第１ＧＮＤ線３０と第２ＧＮＤ線４０との間に挟まれている。第１信号線１０および第２信号線２０の一部には、互いの線長の相違を調整するためのミアンダ部が設けられている。図１は、当該ミアンダ部を抜き出して示した平面図である。
【００１６】
（方向定義）
本実施形態では、回路基板１Ａを厚さ方向から見た平面視において、ミアンダ部で第１信号線１０と第２信号線２０とが向かい合う方向を第１方向Ｘといい、第１方向Ｘに直交する方向を第２方向Ｙという。また、第１方向Ｘに沿って、第１信号線１０側（一方側）を＋Ｘ側といい、第２信号線２０側（他方側）を−Ｘ側という。また、第１方向Ｙに沿って、一方側を＋Ｙ側といい、他方側を−Ｙ側という。
第１ＧＮＤ線３０、第１信号線１０、第２信号線２０、第２ＧＮＤ線４０は、＋Ｘ側から−Ｘ側に向けて、この順に並べて配置されている。
【００１７】
差動ペア配線３のミアンダ部では、第１信号線１０と第２信号線２０との間の間隔（回路間隔Ｌ１）が、第２方向Ｙに沿って変動している。より詳しくは、差動ペア配線３は、回路間隔Ｌ１が大きいブロード部３ａ（第１ブロード部）およびブロード部３ｅ（第２ブロード部）と、ブロード部３ａ、３ｅよりも回路間隔Ｌ１が小さいナロー部３ｃと、を有している。ブロード部３ａとナロー部３ｃとの間は接続部３ｂ（第１接続部）によって接続され、ナロー部３ｃとブロード部３ｅとの間は接続部３ｄ（第２接続部）によって接続されている。接続部３ｂにおける回路間隔Ｌ１は、＋Ｙ側に向かうに従って漸次小さくなっている。接続部３ｄにおける回路間隔Ｌ１は、−Ｙ側に向かうに従って漸次小さくなっている。つまり、接続部３ｂ、３ｄにおける回路間隔Ｌ１は、ナロー部３ｃに向かうに従って漸次小さくなっている。
【００１８】
第１信号線１０は、第２方向Ｙに沿って幅Ｗ１が実質的に一定であるストレート部１１（第１ストレート部）、ストレート部１３（第２ストレート部）、およびストレート部１５（第３ストレート部）を有している。また、第１信号線１０は、第２方向Ｙに沿って幅Ｗ１が変化するテーパ部１２（第１テーパ部）およびテーパ部１４（第２テーパ部）を有している。テーパ部１２はストレート部１１とストレート部１３との間に位置し、テーパ部１４はストレート部１３とストレート部１５との間に位置している。
【００１９】
第１信号線１０の各部１１〜１５における＋Ｘ側の稜線は、第２方向Ｙに沿って一直線状に伸びている。第１信号線１０の各部１１〜１５の−Ｘ側の稜線は、第２方向Ｙに沿って蛇行している。テーパ部１２の−Ｘ側の稜線は、−Ｙ側から＋Ｙ側に向かうに従い、漸次＋Ｘ側に向けて伸びている。テーパ部１４の−Ｘ側の稜線は、＋Ｙ側から−Ｙ側に向かうに従い、漸次＋Ｘ側に向けて伸びている。テーパ部１２における幅Ｗ１は＋Ｙ側に向かうに従って漸次小さくなり、テーパ部１４における幅Ｗ１は−Ｙ側に向かうに従って漸次小さくなっている。つまり、テーパ部１２、１４の幅Ｗ１は、ストレート部１３に向かうに従い、漸次小さくなっている。
【００２０】
第１ＧＮＤ線３０の−Ｘ側の稜線は、第１信号線１０の＋Ｘ側の稜線と平行に、第２方向Ｙに沿って一直線状に伸びている。このため、第１信号線１０と第１ＧＮＤ線３０との間の間隔Ｌ２は、第２方向Ｙに沿って実質的に一定となっている。
【００２１】
第２信号線２０は、第２方向Ｙに沿って幅Ｗ２が実質的に一定であるストレート部２１（第１ストレート部）、ストレート部２３（第２ストレート部）、およびストレート部２５（第３ストレート部）を有している。また、第２信号線２０は、第２方向Ｙに沿って幅Ｗ２が変化するテーパ部２２（第１テーパ部）およびテーパ部２４（第２テーパ部）を有している。テーパ部２２はストレート部２１とストレート部２３との間に位置し、テーパ部２４はストレート部２３とストレート部２５との間に位置している。
【００２２】
第２信号線２０の各部２１〜２５における＋Ｘ側および−Ｘ側の稜線は、双方とも、第２方向Ｙに沿って蛇行している。すなわち第２信号線２０は、ミアンダ部において、全体として第２方向Ｙに沿って蛇行している。
テーパ部２２の＋Ｘ側および−Ｘ側の稜線は双方とも、−Ｙ側から＋Ｙ側に向かうに従い、漸次＋Ｘ側に向けて延びている。テーパ部２４の＋Ｘ側および−Ｘ側の稜線は双方とも、＋Ｙ側から−Ｙ側に向かうに従い、漸次＋Ｘ側に向けて延びている。テーパ部２２における幅Ｗ２は＋Ｙ側に向かうに従って漸次小さくなり、テーパ部２４における幅Ｗ２は−Ｙ側に向かうに従って漸次小さくなっている。つまり、テーパ部２２、２４の幅Ｗ２は、ストレート部２３に向かうに従い、漸次小さくなっている。
【００２３】
第２ＧＮＤ線４０は、＋Ｘ側の稜線が第２方向Ｙに平行に伸びるストレート部４１（第１ストレート部）、ストレート部４３（第２ストレート部）、およびストレート部４５（第３ストレート部）を有している。また、第２ＧＮＤ線４０は、＋Ｘ側の稜線が、＋Ｙ側に向かうに従って漸次＋Ｘ側に向けて延びるテーパ部２２（第１テーパ部）と、−Ｙ側に向かうに従って漸次＋Ｘ側に向けて延びるテーパ部２４（第２テーパ部）と、を有している。テーパ部４２はストレート部４１とストレート部４３との間に位置し、テーパ部４４はストレート部４３とストレート部４５との間に位置している。
【００２４】
第２ＧＮＤ線４０の＋Ｘ側の稜線は、第２信号線２０の−Ｘ側の稜線と平行に延びている。このため、第２信号線２０と第２ＧＮＤ線４０との間の間隔Ｌ３は、第２方向Ｙに沿って実質的に一定となっている。
また、第２ＧＮＤ線４０の＋Ｘ側の稜線は蛇行している一方で、第１ＧＮＤ線３０の−Ｘ側の稜線は一直線状に延びている。このため、第１ＧＮＤ線３０と第２ＧＮＤ線４０との間の間隔Ｌ４は、第２方向Ｙに沿って変化している。
【００２５】
ブロード部３ａは、第１信号線１０および第２信号線２０のストレート部１１、２１によって構成されている。接続部３ｂは、第１信号線１０および第２信号線２０のテーパ部１２、２２によって構成されている。ナロー部３ｃは、第１信号線１０および第２信号線２０のストレート部１３、２３によって構成されている。接続部３ｄは、第１信号線１０および第２信号線２０のテーパ部１４、２４によって構成されている。ブロード部３ｅは、第１信号線１０および第２信号線２０のストレート部１５、２５によって構成されている。
【００２６】
接続部３ｂを構成するテーパ部１２、２２では、第１信号線１０および第２信号線２０の幅Ｗ１、Ｗ２が、ナロー部３ｃに向かうに従って漸次小さくなっている。同様に、接続部３ｄを構成するテーパ部１４、２４では、第１信号線１０および第２信号線２０の幅Ｗ１、Ｗ２が、ナロー部３ｃに向かうに従って漸次大きくなっている。
【００２７】
ここで、差動ペア配線３の差動インピーダンス値は、差動ペア配線３の全体を通して一定であることが好ましい。差動インピーダンス値が部分的に設計値から外れると、回路基板１Ａと他の電子機器との接続箇所において、電気信号の反射がより生じやすくなる。そしてこのような現象は、信号の伝送速度が高速になるほど生じやすい。特に近年では、例えば１００ＧＨｚを超えるような高速伝送が行われるため、差動インピーダンス値をより精度よく整合させることが求められている。
【００２８】
しかしながら、信号線１０、２０の幅Ｗ１、Ｗ２が一定の場合には、回路間隔Ｌ１が広いほど差動インピーダンス値が大きくなり、回路間隔Ｌ１が狭いほど小さくなる。例えば信号線１０、２０の幅Ｗ１、Ｗ２が第２方向Ｙに沿って一定であったと仮定すると、ブロード部３ａの差動インピーダンス値がナロー部３ｃの差動インピーダンス値よりも大きくなってしまう。
【００２９】
そこで本実施形態では、差動インピーダンス値を整合させるために、ブロード部３ａとナロー部３ｃとで信号線１０、２０の幅Ｗ１、Ｗ２を異ならせている。より詳しくは、ブロード部３ａを構成するストレート部１１、２１の幅Ｗ１、Ｗ２は、ナロー部３ｃを構成するストレート部１３、２３の幅Ｗ１、Ｗ２よりも大きくなっている。信号線１０、２０の幅が大きい部分では、幅が小さい部分よりも、差動インピーダンス値が相対的に小さくなる。したがって、回路間隔Ｌ１の違いによる差動インピーダンス値のずれを、信号線１０、２０の幅Ｗ１、Ｗ２の違いによって打ち消し、差動インピーダンス値の変動を抑えることができる。
【００３０】
ところで、接続部３ｂ、３ｄでは、回路間隔Ｌ１が第２方向Ｙに沿って徐々に変化する。このため、接続部３ｂ、３ｄにおける差動インピーダンス値も、第２方向Ｙに沿って徐々に変化することになる。
そこで本実施形態では、接続部３ｂ、３ｄにおいて、第１信号線１０の幅Ｗ１を、回路間隔Ｌ１の変化に合わせて、第２方向Ｙに沿って徐々に変化させている。より詳しくは、接続部３ｂ、３ｄを構成するテーパ部１２、１４の幅Ｗ１は、ナロー部３ｃに向かうに従って漸次小さくなっている。この構成により、回路間隔Ｌ１の変化に応じた接続部３ｂ、３ｄの差動インピーダンス値の変動を打ち消して、差動インピーダンス値をより安定させることができる。
【００３１】
また、第２信号線２０についても同様に、接続部３ｂ、３ｄを構成するテーパ部２２、２４の幅Ｗ２が、ナロー部３ｃに向かうに従って漸次小さくなっている。これにより、差動インピーダンス値をより一層安定させることができる。
【００３２】
また、信号線１０、２０とＧＮＤ線３０、４０との間隔Ｌ２、Ｌ３が、第２方向Ｙに沿って実質的に一定となっているため、回路基板１Ａの電気特性をより安定させることができる。
【００３３】
（第２実施形態）
次に、本発明に係る第２実施形態について説明するが、第１実施形態と基本的な構成は同様である。このため、同様の構成には同一の符号を付してその説明は省略し、異なる点についてのみ説明する。
第１実施形態では、信号線１０、２０とＧＮＤ線３０、４０との間の間隔Ｌ２、Ｌ３が、第２方向Ｙに沿って一定であった。これに対して本実施形態では、間隔Ｌ２、Ｌ３を、第２方向Ｙに沿って変化させている。
【００３４】
図２は、本実施形態の回路基板１Ｂにおける、差動ペア配線３のミアンダ部の拡大図である。
図２に示すように、本実施形態では、第１信号線１０の−Ｘ側の稜線が、第２方向Ｙに沿って一直線状に伸びている。また、第１信号線１０の＋Ｘ側の稜線は、第２方向Ｙに沿って蛇行している。
【００３５】
第１ＧＮＤ線３０の−Ｘ側の稜線と、第２ＧＮＤ線４０の＋Ｘ側の稜線とは、第２方向Ｙに沿って一直線状に、互いに平行に伸びている。このため、第１ＧＮＤ線３０と第２ＧＮＤ線４０との間の間隔Ｌ４は、第２方向Ｙに沿って実質的に一定となっている。
このように、ＧＮＤ線３０、４０同士の間隔Ｌ４が一定であることで、回路基板１Ｂにおける他の回路領域との干渉が生じにくくなる。したがって、回路設計をより容易にすることができる。
【実施例】
【００３６】
以下、具体的な実施例を用いて、上記実施形態を説明する。なお、本発明は以下の実施例に限定されない。
【００３７】
（実施例１）
本実施例では、図１に示すような回路基板１Ａ（フレキシブルプリント基板）の設計例を示す。回路基板１Ａを作成するために、厚さ５０μｍのポリイミドフィルムの両面に、厚さ２０μｍの銅箔が設けられた銅張積層板（ＣＣＬ）を用いる。表面の銅箔をエッチング加工して、図１に示すような信号線１０、２０およびＧＮＤ線３０、４０を形成する。裏面の銅箔は加工せず、そのままＧＮＤとして用いた。
【００３８】
各部の寸法は、以下の表１の通りである。なお、接続部３ｂ、３ｄでは、信号線１０、２０の幅Ｗ１、Ｗ２がそれぞれ、５０〜９０μｍの範囲で変化する。表１では、当該範囲のうち、幅Ｗ１、Ｗ２が６０、７０、８０μｍとなる箇所についての各寸法を記載している。
【００３９】
【表１】
2019207947.tif 000003
【００４０】
表１において、ナロー部３ｃの各数値は、実際に回路基板１Ａを作成して実測したものである。一方、接続部３ｂ、３ｄ、およびブロード部３ａの各数値は、差動インピーダンス値がナロー部３ｃと一致（１００Ω）するように、シミュレーションに基づいて設定したものである。
上記のように設計することで、差動ペア配線３のミアンダ部における各部３ａ〜３ｅの差動インピーダンス値を一致させることが可能となる。また、寸法Ｌ２、Ｌ３が第２方向Ｙで一定となっているので、回路基板１Ａの電気特性がより安定する。
【００４１】
（実施例２）
本実施例では、図２に示すような回路基板１Ｂ（フレキシブルプリント基板）の設計例を示す。実施例１とは、各線１０、２０、３０、４０の形状が異なっているが、その他の条件は同様である。実施例２における各部の寸法を表２に示す。
【００４２】
【表２】
2019207947.tif 000004
【００４３】
表２において、ナロー部３ｃの各数値は、実際に回路基板１Ｂを作成して実測したものである。一方、接続部３ｂ、３ｄ、およびブロード部３ａの各数値は、差動インピーダンス値がナロー部３ｃと一致（１００Ω）するように、シミュレーションに基づいて設定したものである。
上記のように設計することで、差動ペア配線３のミアンダ部における各部３ａ〜３ｅの差動インピーダンス値を一致させることが可能となる。また、寸法Ｌ４が第２方向Ｙで一定となっているので、他の回路領域との干渉が生じにくく、回路設計をより容易にすることができる。
【００４４】
なお、本発明の技術的範囲は前記実施の形態に限定されず、本発明の趣旨を逸脱しない範囲において種々の変更を加えることが可能である。
【００４５】
例えば、前記第１、第２実施形態では、各線１０、２０、３０、４０の稜線が直線状に形成されていたが、これらの稜線は曲線状であってもよい。
また、前記第１、第２実施形態では、接続部３ｂ、３ｄにおいて、第１信号線１０および第２信号線２０の双方の幅Ｗ１、Ｗ２が変化していたが、幅Ｗ１、Ｗ２のうち一方は一定であってもよい。つまり、幅Ｗ１，Ｗ２の少なくとも一方が、接続部３ｂ、３ｄにおいて変化していればよい。
【００４６】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４７】
１Ａ、１Ｂ…回路基板  ２…基板本体  ３…差動ペア配線  ３ａ、３ｅ…ブロード部  ３ｂ、３ｄ…接続部  ３ｃ…ナロー部  １０…第１信号線  ２０…第２信号線  ３０…第１ＧＮＤ線  ４０…第２ＧＮＤ線  Ｘ…第１方向  Ｙ…第２方向
【図１】
2019207947.tif 000005
【図２】
2019207947.tif 000006